(57)【要約】      （修正有）【課題】信号の応答特性を早めて消費電力を減らしたＤＣ−ＤＣコンバータを提供する。【解決手段】第１端に前記入力電圧Vinを伝達し、第２端に前記参照電圧Vrefを伝達される入力部と、前記第２端に伝達される前記参照電圧に対応する電圧を保存する第１キャパシタC10を含み、前記キャパシタと並列連結されてフィードバック電圧の伝達を受けて保存する第２キャパシタC11を含み、前記第１及び第２キャパシタに保存された電圧に対応して信号を出力する少なくとも一つのインバータを含む増幅部と、前記入力電圧が伝達される時前記増幅部から出力される電圧の伝達を受けて第１電圧を生成し、前記参照電圧が伝達される時前記増幅部から出力される電圧の伝達を受けて第２電圧を生成し、前記第１電圧と前記第２電圧の差に対応するフィードバック電圧を生成して前記増幅部に伝達される負帰還部と、前記増幅部の出力の伝達を受けて出力する出力部と、を含む。【選択図】図５
2007135389.tif 000002
【特許請求の範囲】
【請求項１】
入力電圧と参照電圧の伝達を受けて前記入力電圧と前記参照電圧の差に対応して出力が決定される比較器において、
第１端に前記入力電圧を伝達し、第２端に前記参照電圧を伝達する入力部と、
前記第１端に伝達される入力電圧と前記第２端に伝達される前記参照電圧に対応する電圧を保存する第１キャパシタを含み、
前記キャパシタと並列に連結されてフィードバック電圧の伝達を受けて保存する第２キャパシタを含み、
前記第１キャパシタと前記第２キャパシタに保存された電圧に対応して信号を出力する少なくとも一つのインバータを含む増幅部と、
前記入力電圧が伝達される時前記増幅部から出力される電圧の伝達を受けて第１電圧を生成し、
前記参照電圧が伝達される時前記増幅部から出力される電圧の伝達を受けて第２電圧を生成し、
前記第１電圧と前記第２電圧の差に対応するフィードバック電圧を生成して前記増幅部に伝達される負帰還部と、
前記増幅部の出力の伝達を受けて出力する出力部と、
を含むことを特徴とする比較器。
【請求項２】
前記第１端は、
前記入力電圧が入力される第１入力端と前記第１キャパシタの間に連結されて前記入力電圧をスイッチングする第１スイッチを含み、
前記２端は、
前記参照電圧と前記第１キャパシタの間に連結されて前記参照電圧をスイッチングする第２スイッチを含むことを特徴とする請求項１に記載の比較器。
【請求項３】
前記増幅部は、
少なくとも２個のインバータを含み、
前記インバータとインバータの間に第３キャパシタが連結されて前記インバータ間の閾値電圧の差を保存することを特徴とする請求項１に記載の比較器。
【請求項４】
前記第２キャパシタは、
前記インバータの入力端と前記負帰還部の間に連結されることを特徴とする請求項１に記載の比較器。
【請求項５】
前記第２キャパシタは、
前記インバータの出力端と前記負帰還部の間に連結されることを特徴とする請求項１に記載の比較器。
【請求項６】
前記負帰還部は、
前記入力電圧が前記インバータに入力される時間と参照電圧が前記入力電圧に伝達される時間の中で前記出力端を通じてインバータの出力が出力される時間の間前記インバータから出力される電圧を前記インバータの出力端を通じて伝達することを特徴とする請求項１に記載の比較器。
【請求項７】
前記入力部は、
第１制御信号と第２制御信号によってスイッチング動作を遂行し、
前記増幅部は、
第１制御信号と第３制御信号によってスイッチング動作を遂行し、
前記負帰還部は、
前記第１制御信号と前記第３制御信号によってスイッチング動作を遂行することを特徴とする請求項１に記載の比較器。
【請求項８】
前記負帰還部は、
前記第１制御信号によってスイッチング動作を遂行するスイッチと前記第３制御信号によってスイッチング動作を遂行するスイッチと、
を含むことを特徴とする請求項７に記載の比較器。
【請求項９】
前記入力部は、
第１制御信号と第２制御信号によってスイッチング動作を遂行し、
前記増幅部は、
前記第１制御信号と第３制御信号によってスイッチング動作を遂行し、
前記負帰還部は、
第４制御信号によってスイッチング動作を遂行することを特徴とする請求項１に記載の比較器。
【請求項１０】
前記負帰還部は、
前記第４制御信号によってスイッチング動作を遂行するスイッチを含むことを特徴とする請求項９に記載の比較器。
【請求項１１】
前記出力部は、
前記参照電圧と前記入力電圧の差が正であればハイレベルの信号を出力し、
前記参照電圧と前記入力電圧の差が負であればローレベルの電圧を出力することを特徴とする請求項１に記載の比較器。
【請求項１２】
前記負帰還部は、
前記第１キャパシタに保存されている信号に対応して前記第２キャパシタに保存されている信号を利用することを特徴とする請求項１に記載の比較器。
【請求項１３】
前記増幅部は、
少なくとも２個のインバータを含み、
前記インバータとインバータの間に第２キャパシタが連結されて前記インバータ間の閾値電圧差を保存することを特徴とする請求項１に記載の比較器。
【請求項１４】
前記増幅部は、
前記入力部とキャパシタを通じて連結され、
前記キャパシタは、
前記第１端を通じて伝達される入力電圧と前記第２端を通じて伝達される入力電圧と前記参照電圧の差に対応した電圧を順次入力を受けて前記増幅部に伝達することを特徴とする請求項１に記載の比較器。
【請求項１５】
所定の電圧が入力される電圧入力端子と所定の信号が入力される信号入力端子と、
前記信号入力端子を通じて入力される所定の信号を利用して前記所定の電圧を可変して出力する電圧出力端子を含むチャージポンプと、
入力電圧と参照電圧の伝達を受けて前記入力電圧と前記参照電圧の差に対応して出力が決定される比較器を含み、
前記比較器は、
第１端に前記入力電圧を伝達し、第２端に前記参照電圧を伝達する入力部と、
前記第１端に伝達される入力電圧と前記第２端に伝達される前記入力電圧と前記参照電圧に対応する電圧を保存する第１キャパシタを含み、
前記キャパシタと並列連結されてフィードバック電圧の伝達を受けて保存する第２キャパシタを含んで前記第１キャパシタと前記第２キャパシタに保存された電圧に対応して信号を出力する少なくとも一つのインバータを含む増幅部と、
前記入力電圧が伝達される時前記増幅部から出力される電圧の伝達を受けて第１電圧を生成し、
前記参照電圧が伝達される時前記増幅部から出力される電圧の伝達を受けて第２電圧を生成し、
前記第１電圧と前記第２電圧の差に対応するフィードバック電圧を生成して前記増幅部に伝達する負帰還部と、
前記増幅部の出力の伝達を受けて出力する出力部と、
を含むことを特徴とするＤＣ−ＤＣコンバータ。
【請求項１６】
前記第１端は、
前記入力電圧が入力される第１入力端と前記第１キャパシタの間に連結されて前記入力電圧をスイッチングする第１スイッチを含み、
前記２端は、
前記参照電圧と前記第１キャパシタの間に連結されて前記参照電圧をスイッチングする第２スイッチを含むことを特徴とする請求項１５に記載のＤＣ−ＤＣコンバータ。
【請求項１７】
前記増幅部は、
少なくとも２個のインバータを含み、
前記インバータとインバータの間に第３キャパシタが連結されて前記インバータ間の閾値電圧の差を保存することを特徴とする請求項１５に記載のＤＣ−ＤＣコンバータ。
【請求項１８】
前記第２キャパシタは、
前記インバータの入力端と前記負帰還部の間に連結されることを特徴とする請求項１５に記載のＤＣ−ＤＣコンバータ。
【請求項１９】
前記第２キャパシタは、
前記インバータの出力端と前記負帰還部の間に連結されることを特徴とする請求項１５に記載のＤＣ−ＤＣコンバータ。
【請求項２０】
前記負帰還部は、
前記入力電圧が前記インバータに入力される時間と参照電圧が前記入力電圧に伝達される時間の中で前記出力端を通じてインバータの出力が出力される時間の間前記インバータから出力される電圧を前記インバータの出力端を通じて伝達することを特徴とする請求項１５に記載のＤＣ−ＤＣコンバータ。
【請求項２１】
前記入力部は、
第１制御信号と第２制御信号によってスイッチング動作を遂行し、
前記増幅部は、
第１制御信号と第３制御信号によってスイッチング動作を遂行し、
前記負帰還部は、
前記第１制御信号と前記第３制御信号によってスイッチング動作を遂行することを特徴とする請求項１５に記載のＤＣ−ＤＣコンバータ。
【請求項２２】
データ信号と走査信号に対応して画像を表示する画素部と、
前記画素部にデータ信号を伝達するデータ駆動部と、
前記画素部に走査信号を伝達される走査駆動部と、
前記画素部、前記データ駆動部及び前記走査駆動部に電源を伝達するＤＣ−ＤＣコンバータを含み、
前記ＤＣ−ＤＣコンバータは、
所定の電圧が入力される電圧入力端子と所定の信号が入力される信号入力端子と前記信号入力端子を通じて入力される所定の信号を利用して前記所定の電圧を可変して出力する電圧出力端子を含むチャージポンプと、
入力電圧と参照電圧の伝達を受けて前記入力電圧と前記参照電圧の差に対応して出力が決定される比較器を含み、
前記比較器は、
第１端に前記入力電圧を伝達し、
第２端に前記参照電圧を伝達する入力部と、
前記第１端に伝達される入力電圧と前記第２端に伝達される前記入力電圧と前記参照電圧に対応する電圧を保存する第１キャパシタを含み、
前記キャパシタと並列連結されてフィードバック電圧の伝達を受けて保存する第２キャパシタを含み、
前記第１キャパシタと前記第２キャパシタに保存された電圧に対応して信号を出力する少なくとも一つのインバータを含む増幅部と、
前記入力電圧が伝達される時前記増幅部から出力される電圧の伝達を受けて第１電圧を生成し、
前記参照電圧が伝達される時前記増幅部から出力される電圧の伝達を受けて第２電圧を生成し、
前記第１電圧と前記第２電圧の差に対応するフィードバック電圧を生成して前記増幅部に伝達する負帰還部と、
前記増幅部の出力の伝達を受けて出力する出力部と、
を含むことを特徴とする有機発光表示装置。
【発明の詳細な説明】
【技術分野】
【０００１】
本発明はＤＣ−ＤＣコンバータ及びこれを利用した有機発光表示装置に関し、より詳細には、入力された電圧と参照電圧を比較し、その比較結果によって電圧を出力するＤＣ−ＤＣコンバータ及びこれを利用した有機発光表示装置に関する。
【背景技術】
【０００２】
図１は、従来の技術による比較器を示す回路図である。
【０００３】
図１を参照して説明すれば、比較器は入力部と第１、２及び３インバータを含む。
【０００４】
入力部は、入力電圧Ｖｉｎの伝達をスイッチングする第１スイッチＳＷ１と参照電圧Ｖｒｅｆの伝達をスイッチングする第２スイッチＳＷ２を具備する。
【０００５】
第１インバータは、ＰＭＯＳトランジスタである第１トランジスタＭ１とＮＭＯＳトランジスタである第２トランジスタＭ２を具備して第１電源Ｖｄｄが第１トランジスタＭ１のソースに連結されてハイレベルの電圧を出力し、第２トランジスタＭ１はソースが接地ＧＮＤに連結されてローレベルの電圧を出力する。そして、第１ノードＮ１を通じて第１キャパシタＣ１と第３スイッチＳＷ３が連結される。
【０００６】
第２インバータは、ＰＭＯＳトランジスタである第３トランジスタＭ３とＮＭＯＳトランジスタである第４トランジスタＭ４を具備して第１電源Ｖｄｄが第３トランジスタＭ１のソースに連結されてハイレベルの電圧を出力し、第４トランジスタＭ４のソースが接地ＧＮＤに連結されてローレベルの電圧を出力する。そして、第２インバータは第２キャパシタＣ２を通じて第１インバータと連結されて第２ノードＮ２を通じて第２キャパシタＣ２、第４スイッチＭ４、第３及び第４トランジスタＭ３、Ｍ４のソースが連結される。
【０００７】
第３インバータは、ＰＭＯＳトランジスタである第５トランジスタＭ５とＮＭＯＳトランジスタである第６トランジスタＭ６を具備して第１電源Ｖｄｄが第５トランジスタＭ５のソースに連結されてハイレベルの電圧を出力して第６トランジスタＭ６のソースが接地ＧＮＤに連結されてローレベルの電圧を出力する。
【０００８】
図２は図１に示された回路の入出力波形を示す波形図である。
【０００９】
図２を参照して説明すれば、比較部の入力端子に入力される入力電圧Ｖｉｎは、電圧レベルの変動があり、参照電圧Ｖｒｅｆと比較される。そして、第１ないし第５スイッチＳＷ１ないしＳＷ５は、第１制御信号Ｐ１と第２制御信号Ｐ２によってスイッチング動作を遂行するように構成されていて、第１、３及び４スイッチＳＷ１、ＳＷ３、ＳＷ４は、第１制御信号Ｐ１によって動作するようになっており、第２及び５スイッチＳＷ２、ＳＷ５は第２制御信号Ｐ２によって動作するようになっている。
【００１０】
まず、第１制御信号Ｐ１と第２制御信号Ｐ２によって第１、３及び４スイッチＳＷ１、ＳＷ３、ＳＷ４がオン状態になって、第２及び第５スイッチＳＷ２、ＳＷ５がオフ状態になれば、第１キャパシタＣ１に入力電圧Ｖｉｎが伝達され、第２キャパシタＣ２には第１インバータと第２インバータの閾値電圧の差にあたる電圧が保存される。
【００１１】
そして、第１制御信号Ｐ１と第２制御信号Ｐ２によって第１、３及び４スイッチＳＷ１、ＳＷ３、ＳＷ４がオフ状態になって、第２及び第５スイッチＳＷ２、ＳＷ５がオン状態になれば、第１キャパシタＣ１に参照電圧Ｖｒｅｆが伝達されて入力電圧Ｖｉｎと参照電圧Ｖｒｅｆが比較される。
【００１２】
この時、入力電圧Ｖｉｎが参照電圧Ｖｒｅｆよりさらに大きい場合、第３インバータの出力端はローレベルの電圧を出力し、入力電圧Ｖｉｎが参照電圧Ｖｒｅｆより低い場合、第３インバータの出力端はハイレベルの電圧を出力する。
【００１３】
上記のように構成された比較器は、第１キャパシタＣ１に参照電圧Ｖｒｅｆと入力電圧Ｖｉｎの差に対応して出力電圧が決定されるが、参照電圧Ｖｒｅｆと入力電圧Ｖｉｎの差が大きくない場合、参照電圧Ｖｒｅｆと入力電圧Ｖｉｎの差が大きい場合より出力電圧がハイレベルまたはローレベルに変わるのに長い時間がかかるという問題点がある。
そして、上記のような問題点を解決するためには、上記のように構成された場合キャパシタの容量が大きくなければならないという問題点があり、これによって電流の消耗量が大きくなって消費電力が大きくなるという問題点がある。
【００１４】
一方、前記従来のＤＣ−ＤＣコンバータ及びこれを利用した有機発光表示装置に関する技術を記載した文献としては、下記特許文献１および２等がある。
【特許文献１】米国特許第６，８６１，８７８号明細書
【特許文献２】米国特許第６，３７３，３２５号明細書
【発明の開示】
【発明が解決しようとする課題】
【００１５】
したがって、本発明は前記従来の技術の問題点を解決するために創出されたもので、本発明の目的は、信号の応答特性がよくなるようにして消費電力を減らすようにしたＤＣ−ＤＣコンバータ及びこれを利用した有機発光表示装置を提供することである。
【課題を解決するための手段】
【００１６】
前記目的を果たすために本発明による第１側面は、入力電圧と参照電圧の伝達を受けて前記入力電圧と前記参照電圧の差に対応して出力が決定される比較器において、第１端に前記入力電圧を伝達し、第２端に前記参照電圧を伝達する入力部、前記第１端に伝達される入力電圧と前記第２端に伝達される前記入力電圧と前記参照電圧に対応する電圧を保存する第１キャパシタを含み、前記キャパシタと並列連結されてフィードバック電圧の伝達を受けて保存する第２キャパシタを含んで前記第１キャパシタと前記第２キャパシタに保存された電圧に対応して信号を出力する少なくとも一つのインバータを含む増幅部、前記入力電圧が伝達される時前記増幅部から出力される電圧の伝達を受けて第１電圧を生成し、前記参照電圧が伝達される時前記増幅部から出力される電圧の伝達を受けて第２電圧を生成して前記第１電圧と前記第２電圧の差に対応するフィードバック電圧を生成して前記増幅部に伝達する負帰還部及び前記増幅部の出力の伝達を受けて出力する出力部を含む比較器を提供する。
【００１７】
また、本発明の第２側面は、所定の電圧が入力される電圧入力端子と所定の信号が入力される信号入力端子と前記信号入力端子を通じて入力される所定の信号を利用して前記所定の電圧を可変して出力する電圧出力端子を含むチャージポンプ及び前記信号入力端子を通じて入力される所定の信号を調節する比較器を含んで、前記比較器は前記第１側面による比較器のＤＣ−ＤＣコンバータを提供する。
【００１８】
また、本発明の第３側面は、データ信号と走査信号に対応して画像を表示する画素部、前記画素部にデータ信号を伝達されるデータ駆動部、前記画素部に走査信号を伝達される走査駆動部及び前記画素部、前記データ駆動部及び前記走査駆動部に電源を伝達されるＤＣ−ＤＣコンバータを含むが、前記ＤＣ−ＤＣコンバータは前記第２側面によるＤＣ−ＤＣコンバータである有機発光表示装置を提供する。
【発明の効果】
【００１９】
本発明によるＤＣ−ＤＣコンバータ及びこれを利用した有機発光表示装置によれば、インバータに入力される電圧に変化を加えて出力電圧が変わる程度をさらに大きくして応答速度をさらに速めることができるようになる。また、入出力部が動作しない場合インバータ回路を遮断して電流の流れを遮断して消費電力を減少させることができる。
【発明を実施するための最良の形態】
【００２０】
以下、本発明の実施例を添付した図面を参照して説明する。
【００２１】
図３は、本発明による有機発光表示装置の構造を示す構造図である。図３を参照して説明すれば、有機発光表示装置は画素部１００、データ駆動部２００、走査駆動部３００及びＤＣ−ＤＣコンバータ４００を具備する。
【００２２】
画素部１００は、複数のデータ線Ｄ１ないしＤｍと複数の走査線Ｓ１ないしＳｎが交差してデータ線Ｄ１ないしＤｍと走査線Ｓ１ないしＳｎが交差する領域に画素１１０が形成され、画素１１０はデータ線Ｄ１ないしＤｍを通じて伝達されるデータ信号と走査線Ｓ１ないしＳｎを通じて伝達される走査信号に対応して階調を表現して画像を表現する。
【００２３】
データ駆動部２００は、複数のデータ線Ｄ１ないしＤｍと連結されて複数のデータ線に並列でデータ信号を伝達して画素部１００の行方向に配列された画素列に同時にデータ信号が伝達されるようにする。
【００２４】
走査駆動部は、複数の走査線Ｓ１ないしＳｎと連結されて走査信号が伝達された画素１１０にデータ信号が伝達されるようにして特定の画素１１０にデータ信号が伝達されるようにする。
【００２５】
ＤＣ−ＤＣコンバータ４００は、外部から伝達される直流電圧をそれぞれの負荷に適した直流電圧に調節して各負荷に伝達するもので、ＤＣ−ＤＣコンバータ４００から生成された直流電源は画素部１００、データ駆動部２００及び走査駆動部３００等に伝達される。
【００２６】
図４は、図３に示された有機発光表示装置に採用されたＤＣ−ＤＣコンバータの構造図である。図４を参照して説明すれば、ＤＣ−ＤＣコンバータは、クロックスイッチ４３０、チャージポンプ４１０、クロックデバイダ４４０及び比較器４２０を含む。
【００２７】
クロックスイッチ４３０は、クロック発生部ＣＬＫからクロックの入力を受けて、インバータ４５０を通じて伝達される第１クロックＣＬＫ１と第２クロックＣＬＫ２によってクロック発生部ＣＬＫから発生されるクロックを調節する。
【００２８】
チャージポンプ４１０は、第１クロックＣＬＫ１と第２クロックＣＬＫ２に同期してコンデンサーに電荷を充電して入力電圧より高い電圧または逆電圧を生成する手段であり、チャージポンプ４１０によって生成された電圧を出力して各駆動部に伝達する。チャージポンプ４２０の回路と動作は当業者に知られたもので以下詳しい説明は略する。
【００２９】
クロックデバイダ４４０は、クロック発生部ＣＬＫからクロックＣＬＫ、ＣＬＫＢを伝達してクロックＣＬＫ、ＣＬＫＢを比較部４２０に伝達し、比較部４２０が動作するようにする。
【００３０】
比較器４２０は、クロックＣＬＫ、ＣＬＫＢによって同期してチャージポンプ４１０の出力端から入力電圧Ｖｉｎの伝達を受けて参照電圧源を通じて参照電圧ｒｅｆの伝達を受け、参照電圧ｒｅｆと入力電圧Ｖｉｎを比較して比較された信号を、インバータ４５０を通じてクロックスイッチ４３０に伝達し、クロックスイッチ４３０第１クロックＣＬＫ１と第２クロックＣＬＫ２によって動作するようにしてチャージポンプが第１クロックＣＬＫ１と第２クロックＣＬＫ２に対応して出力電圧を調節するようにする。
【００３１】
図５は、図４に示されたＤＣ−ＤＣコンバータで採用された比較器の第１実施形態を示す回路図で、図７は図５に示された比較器の入出力波形を示す波形図である。
【００３２】
図５において、比較器４２０は入力部と第１ないし第３インバータを具備し、第１ないし第３インバータは図１に示された比較器と同じ役目を遂行するので、その説明を略する。
【００３３】
図５を参照して説明すれば、入力部は入力電圧が第１スイッチＳＷ１１を通じてキャパシタＣ１０と連結されて、参照電圧Ｖｒｅｆが第２スイッチＳＷ１２を通じてキャパシタＣ１０と連結される。キャパシタＣ１０は第１インバータの第１トランジスタと第２トランジスタのゲートと連結される。
【００３４】
そして、第１キャパシタＣ１１は第１電極が第１インバータの第１トランジスタＭ１１と第２トランジスタＭ１２のゲートに連結されて、第２電極は第６スイッチＳＷ1６と第７スイッチＳＷ1７が連結される。また、第１インバータないし第３インバータは図５に示されたように連結される。
【００３５】
そして、第２インバータの出力端、すなわち第４スイッチＳＷ１４と第５スイッチＳＷ１５の間は第６スイッチＳＷ１６と第７スイッチＳＷ１７が連結されて第２インバータの出力端を通じて出力される信号が第６スイッチＳＷ１６と第７スイッチＳＷ１７のスイッチング動作によって第１キャパシタＣ１１に伝達される。
【００３６】
そして、比較器は図６に示されたような信号によって動作し、比較器で第１スイッチＳＷ１１、第３スイッチＳＷ１３、第４スイッチＳＷ１４及び第６スイッチＳＷ１６は、第１制御信号Ｐ１によってスイッチング動作を遂行して第２スイッチＳＷ１２は第２制御信号Ｐ２によってスイッチング動作を遂行し、第５スイッチＳＷ１５及び第７スイッチＳＷ１７は第３制御信号Ｐ３によってスイッチング動作を遂行する。
【００３７】
図５と図７を利用して比較器の動作を説明すれば、まず、第１制御信号Ｐ１によって第１スイッチＳＷ１１、第３スイッチＳＷ１３、第４スイッチＳＷ１４及び第６スイッチＳＷ１６がオン状態になって、第２制御信号Ｐ２によって第２スイッチＳＷ１２はオフ状態になって、第５スイッチＳＷ１５及び第７スイッチＳＷ１７はオフ状態になる。
【００３８】
したがって、キャパシタＣ１０に入力電圧Ｖｉｎが伝達され、第２キャパシタには第１インバータと第２インバータの閾値電圧の差にあたる電圧が保存される。そして、第５スイッチＳＷ１５がオフ状態なので、第３インバータはフローティング（Ｆｌｏａｔｉｎｇ）状態になる。この時、第６スイッチＳＷ１６がオン状態になって第２インバータの出力信号が第６スイッチＳＷ１６を通じて第１キャパシタＣ１１に保存され、第１キャパシタＣ１１に保存された電圧は第１インバータの第１トランジスタＭ１１と第２トランジスタＭ１２のゲートに伝達されて第１インバータの出力電圧が第１キャパシタＣ１１に保存された電圧によって調整される。
【００３９】
そして、第２制御信号Ｐ２によって第２スイッチＳＷ１２がオン状態になれば、キャパシタＣ１０に伝達される電圧が入力電圧Ｖｉｎから参照電圧Ｖｒｅｆに変わるようになって、第３スイッチＳＷ１３がフローティング状態になって第１インバータの第１トランジスタＭ１１と第２トランジスタＭ１２のゲートに伝達される電圧が変わるようになる。
【００４０】
これに対応して第２インバータの第３トランジスタＭ１３と第４トランジスタＭ１４のゲートに伝達される電圧が変わるようになって、第３トランジスタＭ１３と第４トランジスタＭ１４のソース側の電圧が変わるようになる。
【００４１】
そして、第２制御信号Ｐ２によって第２スイッチＳＷ１２がオン状態である区間で所定の時間ｔ１の経過後に第３制御信号Ｐ３によって第５及び第７スイッチＳＷ１５、ＳＷ１７がオン状態になって第７スイッチＳＷ１７のスイッチング動作によって第１キャパシタＣ１１に保存された電圧が変わるようになる。第１キャパシタＣ１１に保存された電圧によって第１インバータの第１トランジスタＭ１１と第２トランジスタＭ１２のゲート電圧が変わるようになって、第３インバータを通じて出力される出力電圧の変動幅がさらに大きくなって信号の応答特性がよくなる。
【００４２】
図７は、図５に示された比較器の出力特性を示す特性曲線である。図７を参照して説明すれば、Ｖｏｕｔはインバータの特性曲線を示し、Ｉｎｖｅｒｓｅはインバータの特性曲線を反転させた曲線を示す。
特性曲線は、２．５Ｖの付近で急激に変化が生ずるが、第１キャパシタに保存された電圧を通じる増幅部に入力される電圧を調節するフィードバック過程によって入力電圧と参照電圧の差に対応してハイ状態の信号とロー状態信号になるようにして信号の応答特性がよくなる。
【００４３】
図８は、図５及び図６に示された比較器の出力特性を示す特性曲線である。図６は、図４に示されたＤＣ−ＤＣコンバータで採用された比較器の第２実施形態を示す回路図である。これを図８を参照して説明すれば、図５に示された比較器と図６に示された比較器の差異は、フィードバック電圧を保存する第１キャパシタＣ２１の位置が図５に示されているのとは異なり、増幅部の出力端とフィードバック部の第６スイッチと第７スイッチの間に連結されることで、第１キャパシタＣ２１に保存される電圧は第６スイッチと第７スイッチのスイッチング動作によって図５と同じく保存され、第１インバータのゲートに同一時点に第１キャパシタＣ２１に保存されている電圧が伝達されて図５に示された比較器と図６に示された比較器は同一特性を持つようになる。
【００４４】
図９は、図４に示されたＤＣ−ＤＣコンバータで採用した比較器の第３実施形態を示す図で、図１０は図９に示された比較器の入出力波形を示す波形図である。
【００４５】
図９及び図１０を参照して説明すれば、図９に示された比較器は図５及び図６に示された比較器とは異なり、負帰還をするスイッチが一つのスイッチで構成されて、負帰還をするスイッチは図１０に示された第４制御信号Ｐ４によってスイッチング動作を遂行する。
【００４６】
第４制御信号Ｐ４は、第１制御信号Ｐ１がオン信号の時オン信号であり、第２制御信号Ｐ２がオン信号になった後に一定時間ｔ２経過後、オン信号になって入力電圧Ｖｉｎが入力される時第４制御信号Ｐ４によって第１キャパシタＣ３１に所定の電圧が充電され、第２制御信号Ｐ２によって参照電圧Ｖｉｎが入力される。
【００４７】
したがって、図５に示された比較器の第１キャパシタＣ１１の保存過程と同じ過程で図９の第１キャパシタＣ３１に電圧が充電される。したがって、図９に示された比較器も同様に図７に示されている特性曲線のような特性を持つようになる。
【００４８】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【産業上の利用可能性】
【００４９】
本発明は、ＤＣ−ＤＣコンバータ及びこれを利用した有機発光表示装置に適用することができる。
【図面の簡単な説明】
【００５０】
【図１】従来の技術による比較器を示す回路図である。
【図２】図１に示された回路の入出力波形を示す波形図である。
【図３】本発明による有機発光表示装置の構造を示す構造図である。
【図４】図３に示された有機発光表示装置に採用されたＤＣ−ＤＣコンバータの構造図である。
【図５】図４に示されたＤＣ−ＤＣコンバータで採用された比較器の第１実施例を示す回路図である。
【図６】図４に示されたＤＣ−ＤＣコンバータで採用された比較器の第２実施例を示す回路図である。
【図７】図５及び図６に示された比較器の入出力波形を示す波形図である。
【図８】図５及び図６に示された比較器の出力特性を示す特性曲線である。
【図９】図４に示されたＤＣ−ＤＣコンバータで採用した比較器の第３実施例を示す図である。
【図１０】図９に示された比較器の入出力波形を示す波形図である。
【符号の説明】
【００５１】
１００    画素部、
１１０    画素、
２００    データ駆動部、
３００    走査駆動部、
４００    ＤＣ−ＤＣコンバータ、
４１０    チャージポンプ、
４２０    比較器、
４３０    クロックスイッチ、
４４０    クロックデバイダ。
【図１】
2007135389.tif 000003
【図２】
2007135389.tif 000004
【図３】
2007135389.tif 000005
【図４】
2007135389.tif 000006
【図５】
2007135389.tif 000007
【図６】
2007135389.tif 000008
【図７】
2007135389.tif 000009
【図８】
2007135389.tif 000010
【図９】
2007135389.tif 000011
【図１０】
2007135389.tif 000012